(57)【要約】【課題】温熱付与体の発熱終了後に、温熱付与体のみを簡便に剥がし取ることができ、肌上に残った皮膚貼付体の上に再び新しい温熱付与体を貼付できる皮膚貼付積層体を提供すること。【解決手段】皮膚貼付積層体１は、温熱付与体１０と、皮膚貼付機能層を具備する皮膚貼付体２０から構成され、温熱付与体１０は、発熱剤１１を収容する扁平状の発熱剤収容層１２と、その発熱剤収容層１２の下面に第２粘着層１４を形成する。皮膚貼付体２０は、皮膚貼付体２０の基層として機能する基材層２１と、その基材層２１の下面に、皮膚貼付機能層２２を具備し、さらに、皮膚貼付機能層２２の下面に皮膚に直接貼付するための第１粘着層２３を形成する。温熱付与体１０の第２粘着層１４は、皮膚貼付体２０の基材層２１の上面に貼付され、両者は一体となり、皮膚貼付体２０の第１粘着層２３が皮膚に貼付される。第２粘着層１４と基材層２１の間の粘着力は、第１粘着層２３と皮膚などの間の粘着力より小さい。【選択図】  図１
2010214014.tif 000002
【特許請求の範囲】
【請求項１】
基材層と該基材層の一面側に形成されて皮膚に直接貼付するための第１粘着層とを有する皮膚貼付体と、
発熱剤収容層と該発熱剤収容層の一面側に形成されて前記基材層の他面側に貼付するための第２粘着層とを有する温熱付与体とを備え、
前記第２粘着層の前記基材層との粘着力を前記第１粘着層の皮膚との粘着力より小さく形成したことを特徴とする皮膚貼付積層体。
【請求項２】
前記皮膚貼付体は、皮膚に貼付することによって機能する皮膚貼付機能層を具備することを特徴とする請求項１記載の皮膚貼付積層体。
【請求項３】
前記皮膚貼付機能層は、粘着性薬剤層であることを特徴とする請求項２記載の皮膚貼付積層体。
【請求項４】
ＪＩＳ  Ｚ０２３７（−２０００）（粘着テープ・粘着シート試験方法）で測定して、前記第２粘着層の粘着力は０．２ニュートン／２５ｍｍ以上であり、前記第１粘着層の皮膚との粘着力は、前記第２粘着層の前記基材層との粘着力より、少なくとも０．８ニュートン／２５ｍｍ大きいことを特徴とする請求項１乃至３いずれかに記載の皮膚貼付積層体。
【請求項５】
請求項１乃至４に記載の前記皮膚貼付積層体に用いられる前記温熱付与体であって、前記第２粘着層の前記基材層に対向する面側に剥離自在の剥離シートを備えることを特徴とする温熱付与体。
【発明の詳細な説明】
【技術分野】
【０００１】
本発明は、発熱体を含む、皮膚に貼付する積層体に関する。
【背景技術】
【０００２】
従来、経皮鎮痛消炎外用絆創膏を患部の皮膚に貼り温める場合、絆創膏の薬剤塗布面の裏側に使い捨てカイロをあらかじめ接着した構成が提案されている（特許文献１参照）。
また、使い捨て足用カイロの加温効果に加え、冷え性の症状改善効果を狙い、使い捨て足用カイロにつぼを刺激する突起を付け加え、さらにその突起に磁石を用いた構成が提案されている（特許文献２参照）。
さらに、カイロの温熱と貼薬の温熱刺激との相乗効果を図るため、発熱材を袋体内に封入して形成された使い捨てカイロの袋体の表又は裏面に接着層を設け、更に漢方薬剤等の貼薬剤をシートに展延すると共に、その貼薬剤の表面に剥離シートを貼着して貼薬を形成し、且つその貼薬のシートを使い捨てカイロの接着層に貼着したことを特徴とする使い捨てカイロと一体とした貼薬の構成が提案され（特許文献３参照）、さらに、長時間使用可能な貼薬剤の場合には、使い捨てカイロの発熱効果がなくなった時に使い捨てカイロから貼薬を剥離し、その貼薬に新しい使い捨てカイロを貼着することにより再び使用することが開示されている（同文献の段落０００９参照）。
【先行技術文献】
【特許文献】
【０００３】
【特許文献１】特開２００８−２００４５０号公報
【特許文献２】特開２００６−２６３７０号公報
【特許文献３】特開平１０−２０１７８７号公報
【発明の概要】
【発明が解決しようとする課題】
【０００４】
しかしながら、特許文献１と２の使い捨てカイロは、薬剤塗布面と使い捨てカイロを接着したり、カイロ自体に隆起物作るなど、使い捨てカイロとそれ以外の治療作用に供する部分とが分離できる構成とはなっておらず、使い捨てカイロの発熱効果がなくなった時には、使い捨てカイロ以外の治療作用に供する部分も使い捨てる必要があった。
【０００５】
また、特許文献３の貼薬は、使い捨てカイロの発熱効果がなくなった時に使い捨てカイロから貼薬を剥離し、その貼薬に新しい使い捨てカイロを貼着することにより再び使用できることとなっているが、貼薬剤を展延するシートを皮膚から剥がすことなく、使い捨てカイロのみを剥がすことができず、シートを皮膚から剥がした上でカイロをシートから剥がし取る必要があった。しかし、２度目以降の貼付はそのシートの貼着力が弱くなり剥がれやすくなるために、使い捨てカイロである発熱体のみをいかに簡便に剥がし取り、それ以外の治療作用に供する部分を肌に残すかが問題となっていた。
【０００６】
本発明は、上述した点に鑑み案出したもので、発熱剤を含む温熱付与体と皮膚に貼付することによって機能する部分を含む皮膚貼付体とを備え、温熱付与体の発熱終了後に、温熱付与体のみを簡便に剥がし取ることができ、肌上に残った皮膚貼付体の上に再び新しい温熱付与体を貼付できる、温熱付与体と皮膚貼付体の２層構造からなる皮膚貼付積層体を提供することを課題としている。
【課題を解決するための手段】
【０００７】
上記課題を解決するため、本発明は、基材層と該基材層の一面側に形成されて皮膚に直接貼付するための第１粘着層とを有する皮膚貼付体と、発熱剤収容層と該発熱剤収容層の一面側に形成されて前記基材層の他面側に貼付するための第２粘着層とを有する温熱付与体とを備え、前記第２粘着層の前記基材層との粘着力を前記第１粘着層の皮膚との粘着力より小さく形成したことを特徴とする皮膚貼付積層体である。
【０００８】
また、本発明は、前記皮膚貼付体は、皮膚に貼付することによって機能する皮膚貼付機能層を具備することを特徴とする上記記載の皮膚貼付積層体である。
【０００９】
また、本発明は、前記皮膚貼付機能層は、粘着性薬剤層であることを特徴とする上記記載の皮膚貼付積層体である。
【００１０】
また、本発明は、ＪＩＳ  Ｚ０２３７（−２０００）（粘着テープ・粘着シート試験方法）で測定して、前記第２粘着層の粘着力は０．２ニュートン／２５ｍｍ以上であり、前記第１粘着層の皮膚との粘着力は、前記第２粘着層の前記基材層との粘着力より、少なくとも０．８ニュートン／２５ｍｍ大きいことを特徴とする上記記載の皮膚貼付積層体である。
【００１１】
また、本発明は、上記記載の前記皮膚貼付積層体に用いられる前記温熱付与体であって、前記第２粘着層の前記基材層に対向する面側に剥離自在の剥離シートを備えることを特徴とする温熱付与体である。
【発明の効果】
【００１２】
本発明によれば、一旦温熱付与体の発熱効果が消失した後も、皮膚に貼付することによって機能する部分を含む皮膚貼付体を皮膚に貼り付けたまま、温熱付与体を剥がし取ることができることとなり、皮膚自体への貼付を何度も行う必要がなくなる。
また、温熱付与体を剥がし取った後、新たな温熱付与体を再び貼付し、温熱付与体の持続的な温熱効果を提供することにより、皮膚貼付体による効果と温熱付与体の温熱効果が相乗効果を発揮する皮膚貼付積層体を提供することができる。
また、温熱付与体の発熱効果により、皮膚貼付体を皮膚に貼り付ける際のひんやり感を低減させることのできる、使用性に優れた皮膚貼付積層体を提供することができる。
【図面の簡単な説明】
【００１３】
【図１】皮膚貼付積層体の基本的構成を示した断面図。
【図２】皮膚貼付積層体の実施形態を示した断面図。
【図３】貼替え用温熱付与体の実施形態を示した断面図。
【発明を実施するための形態】
【００１４】
以下に、本発明の実施形態の例を図面を参照して説明する。
【００１５】
〔基本的構成〕
図１に示すように、皮膚貼付積層体１は、温熱付与体１０と、皮膚貼付機能層を具備する皮膚貼付体２０から構成されている。
温熱付与体１０は、発熱剤１１を収容する扁平状の発熱剤収容層１２と、その発熱剤収容層１２の下面に第２粘着層１４を形成する。なお、発熱剤収容層１２の上面に、発熱剤１１を空気に暴露し酸化発熱させるため、通気性フィルムからなる通気面１３を形成する。
皮膚貼付体２０は、皮膚貼付体２０の基層として機能する基材層２１と、その基材層２１の下面に、薬効成分を含む薬剤や治療を施す固形物などを有する皮膚に貼付することによって機能する皮膚貼付機能層２２を具備し、さらに、皮膚貼付機能層２２の下面に皮膚に直接貼付するための第１粘着層２３を形成する。
温熱付与体１０の第２粘着層１４は、皮膚貼付体２０の基材層２１の上面に貼付され、両者は一体となり、皮膚貼付体２０の第１粘着層２３が皮膚に貼付される。この場合、第２粘着層１４と基材層２１の間の粘着力は、第１粘着層２３と皮膚などの間の粘着力より小さい。その結果、温熱付与体１０の発熱効果が消失したときには、容易に温熱付与体１０だけを剥がすことができる。
以下、さらに一実施形態について詳細に説明する。
【００１６】
〔実施の形態１〕
図２に示すように、皮膚貼付積層体１０１は、温熱付与体としての使い捨てカイロ１１０と、粘着性を有する経皮吸収剤などを薬剤として使用した貼付剤１２０から構成されている。
使い捨てカイロ１１０は、発熱剤１１１を扁平状の発熱剤収容層１１２内に封入すると共に、この発熱剤収容層１１２の上面に通気性フィルムからなる通気面１１３を、下面には第２粘着層１１４を備えたものである。発熱剤１１１は、例えば鉄粉、水、バーミキュライト、活性炭、塩類等が混合された混合粉体で、酸素と反応して発熱するものである。尚、発熱剤として、前記混合粉体をシート状に成形したり、シート状物に前記混合粉体を保持させたものを用いることもできる。通気面１１３は、内部の発熱剤１１１に酸素を供給できるよう少なくともその一部分が通気性を有するようになっており、詳しくは、多数の通気孔（図示せず）が穿孔されている。なお、通気面１１３の通気量を調整することにより、発熱の立ち上がりを調整することができる。
【００１７】
貼付剤１２０は、編織布または不織布などの柔軟性を有する素材からなる基材層１２１と、その基材層１２１の下面に経皮鎮痛剤や湿布剤などの薬効成分を含む粘着性組成物からなる粘着性薬剤層１２２を備えたものである。この粘着性薬剤層１２２は、経皮鎮痛消炎外用絆創膏、漢方貼薬、膏薬、湿布薬、血行促進剤などの貼薬を形成し、おおよそ肩こり、腰痛、筋肉痛などの治癒のために皮膚に貼って使用されるすべてのものである。また、温熱効果により本来の効果が高められるスキンケア剤を含むものであってもよい。例えば、脱毛クリームの場合は、温熱効果により毛穴が開くことにより、脱毛がより効果的に行える。
また、基材層１２１はポリウレタンなどのような高分子化合物であってもよい。また、第２粘着層１１４に用いられる粘着剤は、アクリル系粘着剤が望ましい。
【００１８】
使い捨てカイロ１１０の第２粘着層１１４は、貼付剤１２０の基材層１２１の上面に貼付され、両者は一体となり、貼付剤１２０の粘着性薬剤層１２２が皮膚に貼付される。（なお、貼付剤１２０を皮膚に貼付した後、使い捨てカイロ１１０を基材層１２１の上に貼付こともできることは言うまでもない。）
第２粘着層１１４の基材層１２１との粘着力は、第１粘着層１２２の皮膚との粘着力より小さいことは上述のとおりであるが、第２粘着層の粘着力が弱すぎても、使用中に剥がれ落ちてしまうので、不都合である。使い捨てカイロ１１０が使用中に剥がれ落ちることのない粘着力は、ＪＩＳ  Ｚ０２３７（−２０００）（粘着テープ・粘着シート試験方法）で測定して、少なくとも０．２ニュートン／２５ｍｍ必要である。そして、この場合において、使い捨てカイロ１１０のみを容易に剥がし取ることができるようにするためには、両粘着力の差が０．８ニュートン／２５ｍｍ必要である。
【００１９】
（試験例１）
ＪＩＳ  Ｚ０２３７（−２０００）（粘着テープ・粘着シート試験方法）で、貼付剤１２０の粘着性薬剤層１２２の粘着力と使い捨てカイロ１１０の第２粘着層１１４の粘着力を測定し、両粘着力にどの程度の差があると、貼付剤１２０を皮膚に貼り付けたまま、使い捨てカイロ１１０を剥がし取ることが容易かの実験を行った。その結果、表１に示すように、第1粘着層の粘着力の強さに従って、第２粘着層の粘着力も異なるように形成することが好ましい。即ち、上述にように、第２粘着層の粘着力は最小で０．２ニュートン／２５ｍｍは必要であるために、第１粘着層の粘着力は１．０ニュートン／２５ｍｍ以上必要である。しかし、これは使用中に剥がれ落ちることのない最小値であるので、第１粘着層の粘着力がより大きくなり、例えば、１．７ニュートン／２５ｍｍある場合には、第２粘着層の粘着力もより大きく、０．３ニュートン／２５ｍｍとすることができ、使い捨てカイロ１１０がより剥がれ落ちることがなく、且つ、粘着力の差が広がるために、より容易に使い捨てカイロ１１０を剥がし取ることができる。さらに、第１粘着層の粘着力がより大きくなり、例えば、３．０ニュートン／２５ｍｍある場合には、第２粘着層の粘着力もより大きく、例えば、０．４ニュートン／２５ｍｍとすることができ、使い捨てカイロ１１０がさらに剥がれ落ちることがなく、且つ、粘着力の差が広がるために、さらに容易に使い捨てカイロ１１０を剥がし取ることができる。
なお、ここでの測定値は、ＪＩＳ  Ｚ０２３７（−２０００）（粘着テープ・粘着シート試験方法）の１０．３．２背面に対する１８０度引き剥がし粘着力にて試験をして得られたものである。即ち、まず、第１粘着層の粘着シートから使い捨てカイロ用粘着シートの試験片と同一寸法の１片を採り、これをＳＵＳ板に圧着し、両端は折り曲げてそのＳＵＳ板の裏面に貼りつけ、次ぎに、その背面に、更に１０．３．１と同様の方法で使い捨てカイロ用粘着シートを圧着した後、１０．３．１と同様にして測定した。
【００２０】
【表１】
2010214014.tif 000003
【００２１】
なお、粘着性薬剤層１２２の下面には、剥離自在可能な剥離シート１２３が備えられ、皮膚への貼付時に、剥がされ、粘着性薬剤層１２２が露出することが望ましい。
【００２２】
皮膚貼付積層体１０１の平面視形状は、円、楕円、略多角形のいずれであっても良く、不必要に剥がれないようにするため、略多角形である場合には角が角丸となった角張らない形状が好ましい。
【００２３】
つぎに、本実施形態の使用方法について説明する。
本実施形態では、使用前の皮膚貼付積層体１０１は、発熱剤１１１が酸素に触れて酸化発熱しないようにするため袋体の中に密封されている。もちろん、皮膚貼付積層体１０１を袋体に入れることなく、通気層１１３を通して発熱剤１１１が酸素に触れないように、通気層１１３を密閉するシートを設けても良い。
袋体の中に密封されている場合、まず使用者は袋体を破り、皮膚貼付積層体１０１を袋から取り出す。次に、使用者は剥離シート１２３を皮膚貼付積層体１０１から剥し取り、患部の皮膚に貼付する。発熱剤１１１は袋体を破り酸素に触れた時点から発熱が始まっており、通気面１１３の通気孔の数を多くすることで酸素に暴露する速度を早めることにより、または、発熱剤１１１に含まれる水分量を減らすことにより、素早く温熱効果を発揮することが可能となる。この結果、使用者においては、皮膚に貼る時点ではすでに温かくなっているのでひんやり感がなくなり、さらに、すぐに温かくなったと実感することができる。
発熱剤１１１の発熱効果が消失したときには、使用者は、使い捨てカイロ１１０のみを貼付剤１２０から剥がし取る。このとき、第２粘着層１１４と基材層１２１の間の粘着力は、粘着性薬剤層１２２と皮膚の間の粘着力より小さいので、貼付剤１２０は肌に粘着したまま残り、使い捨てカイロ１１０と一緒に剥がれることはない。
【００２４】
さらに、使用者は、発熱効果を持続させたい場合、図３に示す貼替え用使い捨てカイロ２１０を袋体から取り出し、第２粘着層２１４に備えてある剥離シート２１５を剥がし取り、この第２粘着層２１４を、皮膚に貼付されている貼付剤１２０の基材層１２１に貼付する。
これにより、使い捨てカイロの発熱効果が消失したときでも、新しい貼替え用使い捨てカイロ２１０を貼替えることにより、使い捨てカイロ（温熱付与体）の持続的な温熱効果を提供することにより、貼付剤（皮膚貼付体）による効果と温熱付与体の温熱効果が相乗効果を発揮する皮膚貼付積層体を提供することができる。
【００２５】
〔その他の実施の形態〕
本発明は上記実施の形態にこれに限定されるものでなく、特許請求の範囲に記載された発明の要旨を逸脱しない範囲内での種々、設計変更した形態を技術的範囲に含むものである。
【００２６】
皮膚貼付体２０は、皮膚貼付機能層２２に、血行促進などのためのつぼを刺激する隆起した固形物を備えたものであってもよい。
【００２７】
温熱付与体１０と皮膚貼付体２０の平面視形状または大きさは、異なっていても良い。例えば、皮膚貼付体２０が円であり、温熱付与体１０が楕円であっても良い。より具体的には、例えば、その円の半径とその楕円の長径とが略等しい場合、その円の半径とその楕円の短径の差分だけ温熱付与体１０が基材層２１より小さくなり、その結果段差ができ、剥がすきっかけとなるので、温熱付与体１０のみを剥がし易くなる。また、逆に、その円の半径とその楕円の短径とが略等しくてもよい。その円の半径とその楕円の長径の差分だけ温熱付与体１０が基材層２１より大きくなり、その結果摘む部分ができ、剥がすきっかけとなるので、皮膚貼付体１０のみを剥がし易くなる。
【符号の説明】
【００２８】
１    皮膚貼付積層体                      １０１  膚貼付積層体
１０  温熱付与体                          １１０  使い捨てカイロ
１１  発熱剤                              １１１  発熱剤
１２  発熱剤収容層                        １１２  発熱剤収容層
１３  通気面                              １１３  通気面
１４  第２粘着層                          １１４  第２粘着層
２０  皮膚貼付体                          １２０  貼付剤
２１  基材層                              １２１  基材層
２２  皮膚貼付機能層                      １２２  粘着性薬剤層
２３  第１粘着層                          １２３  剥離シート
２１０  貼替え用使い捨てカイロ
２１１  発熱剤
２１２  袋体
２１３  通気面
２１４  第２粘着層
２１５  剥離シート
【図１】
2010214014.tif 000004
【図２】
2010214014.tif 000005
【図３】
2010214014.tif 000006